(57)【要約】  フラット画面ディスプレイ装置（６０）と、そのディスプレイ装置のための支持体とを備えたディスプレイシステム（６）。支持体は、ディスプレイ装置を保持するように設計されている取外し可能なスタンド（６１）を形成する。
2009500666.tif 000002
【特許請求の範囲】
【請求項１】
フラット画面を備えたディスプレイ装置（10、60、80）と、該ディスプレイ装置のための支持体とを備えたディスプレイシステム（1、6、8）であって、
前記支持体が、前記ディスプレイ装置を収容するように設計された取外し可能なスタンド（11、61、81、1201、15）を形成することを特徴とするディスプレイシステム。
【請求項２】
前記スタンド（11、61、81、1201）は、前記フラット画面を、本システムが著しく水平な平面に設置された場合に著しく垂直な位置内に保持するように設計されたベースを備えることを特徴とする請求項１に記載のディスプレイシステム。
【請求項３】
前記スタンド（15）は、ベース（1502）及び関連の壁取付け部（1501）を備え、前記ベース及び前記壁取付け部は、前記フラット画面を、前記壁取付け部が著しく垂直な平面に取り付けられた場合に著しく垂直な位置内に保持するように設計されていることを特徴とする請求項１に記載のディスプレイシステム。
【請求項４】
前記スタンドは、本システムが著しく水平な平面に設置された場合にその中空部分内に著しく垂直な壁部(110、611、811、1500)を備え、該壁部の間に前記ディスプレイ装置が挿入されることを特徴とする請求項１乃至３のいずれかに記載のディスプレイシステム。
【請求項５】
前記スタンドは著しく垂直な外側壁部を備えることを特徴とする請求項１乃至４のいずれかに記載のディスプレイシステム。
【請求項６】
前記スタンドは下面及び上面を含むベースを備え、前記上面が前記下面に著しく平行であることを特徴とする請求項１乃至５のいずれかに記載のディスプレイシステム。
【請求項７】
前記ディスプレイ装置はその下側部分内に嵌合部を備え、該嵌合部が前記スタンド内に挿入されるように設計されていることを特徴とする請求項１乃至６のいずれかに記載のディスプレイシステム。
【請求項８】
前記スタンドの前記外側壁部と前記ディスプレイ装置の外側壁部は連続していることを特徴とする請求項７に記載のディスプレイシステム。
【請求項９】
前記スタンドの前記外側壁部と前記ディスプレイ装置の前記外側壁部は接していることを特徴とする請求項８に記載のディスプレイシステム。
【請求項１０】
前記ベースはバラストされていることを特徴とする請求項１乃至９のいずれかに記載のディスプレイシステム。
【請求項１１】
フラット画面を備えたディスプレイ装置が著しく水平な床に置かれる場合に該ディスプレイ装置を支持するためのスタンドであって、
本スタンド及び前記ディスプレイ装置が、請求項２、並びに、請求項１及び請求項４乃至１０のいずれか一項、に基づく前記ディスプレイシステムを形成することを特徴とするスタンド。
【請求項１２】
フラット画面を備えたディスプレイ装置が著しく垂直な平面に掛けられる場合に該ディスプレイ装置を支持するためのスタンドであって、
本スタンド及び前記ディスプレイ装置が、請求項３、並びに、請求項１及び請求項４乃至９のいずれか一項、に基づく前記ディスプレイシステムを形成することを特徴とするスタンド。
【発明の詳細な説明】
【技術分野】
【０００１】
本発明は、ディスプレイシステムの分野に関し、より詳細には、例えば液晶タイプまたはＬＣＤ（液晶ディスプレイ）のフラット画面ディスプレイ装置の平面上への位置決めに関する。
【背景技術】
【０００２】
従来技術によれば、フラット画面は、壁に取り付けられ、または平面に設置されることが可能である。この種の画面は、例えば、特許文献１に記載されている。
【０００３】
据え置き位置から掛け位置への移動には、一般に、画面の背面に取り付けられる支持体を設置し、かつ／または取り外すときに、特に、複雑な動作が必要である。この動作は行うことが相対的に煩わしいという弱点を示し、複雑な支持体を必要とする。
【０００４】
【特許文献１】米国特許出願公開第２００４／００８４５８８号明細書
【発明の開示】
【発明が解決しようとする課題】
【０００５】
本発明の目的は、従来技術の弱点を克服することである。
【課題を解決するための手段】
【０００６】
より詳細には、本発明は、フラット画面ディスプレイシステムの使用の柔軟性および／またはそのシステムの人間工学を改良するという目標を有し、それにより、容易に据え置き可能とし、または壁に取付け可能とする。
【０００７】
本発明は、フラット画面のディスプレイ装置、およびそのディスプレイ装置のための支持体を含むディスプレイシステムに関し、支持体は取外し可能なスタンド（ディスプレイ装置を保持するように設計されている）を形成することが注目されるべきである。
【０００８】
有利には、スタンドは、システムが著しく水平な平面上に設置されおよび／または著しく垂直な平面上に取り付けられた場合に、著しく垂直な位置に画面を保持するように設計されたベースを備える。
【０００９】
好ましくは、スタンドは、システムが著しく水平な平面上に設置された場合に、その中空部分内に著しく垂直な壁部を含み、それら壁部の間にディスプレイ装置が挿入される。
【００１０】
特定の特性によれば、スタンドは著しく垂直な外側壁部を含む。
【００１１】
別の特定の特性によれば、スタンドは下面および上面を有するベースを含み、上面は下面に著しく平行である。
【００１２】
好ましい特性によれば、ディスプレイ装置の下側部分に、スタンド６１に挿入されるように設計された嵌合部（renfoncements）を含む。
【００１３】
有利には、ベースはバラストされている。
【００１４】
有利には、スタンドの外側壁部とディスプレイ装置は連続しており、さらにより有利には接している（tangents）。
【００１５】
本発明はまた、対応するスタンドに関連する。
【００１６】
付属の図面を参照する以下の説明を読むことにより、本発明はより理解され、別の特定の特徴及び利点が明らかになるであろう。
【発明を実施するための最良の形態】
【００１７】
本発明の概括的原理は、したがって、取外し可能なスタンドを含むディスプレイシステムに基づいている。したがって、システムが、掛け位置から、水平な平面に設置される状態に移動する場合に、ユーザは、画面の安定性を確保するスタンド内にディスプレイ装置を容易に挿入することが可能である。逆に、システムが、水平な平面に設置されている状態から、掛け位置または吊り位置に移動する場合に、ユーザは、そのスタンドからディスプレイ装置を容易に取り外し、それを掛けることが可能である。この構造は、設置の選択という点での柔軟性をユーザに与える。
【００１８】
図１に、本発明の好ましい実施形態により、水平な平面に設置されたディスプレイシステム１の正面図を示す。
【００１９】
ディスプレイシステム１は、
フラット画面１０１、ケーシング１０７、及び前側に１つまたは複数のラウドスピーカ１０２を備えたディスプレイ装置１０、並びに
ディスプレイ装置を収容するように設計されている中空スタンド１１を含む。
【００２０】
フラット画面１０１は、例えば、ＬＣＤ画面またはプラズマタイプの画面である。
【００２１】
ラウドスピーカまたは複数のラウドスピーカ１０２は、画面下に位置決めされる。
【００２２】
ディスプレイ装置１０はスタンド１１内に挿入され、スタンド１１は、ディスプレイ装置を（前側平面が、垂直線と１１°未満または１１°に等しい角度をなす画面により）著しく垂直な位置に、及びより概括的には、画面の向かい側にいる視聴者によく見えることを可能にする快適な位置に維持する。
【００２３】
スタンドは、ベース１１１及び壁部１１０を含む。ベース１１１は、著しく水平な（それは、水平面と１１°未満または１１°に等しい角度をなすということを意味する）床に置かれるように設計されている著しく平らな下面と、下面に著しく平行である上面（２つの面が、互いと１１°未満または１１°に等しい角度をなす平面を少なくとも部分的に形成することを意味する）とを含む。壁部１１０の内側面と外側面とは、著しく垂直であり、壁部１１０は、中空の空間を形成し、ディスプレイ装置がスタンド内に挿入された場合に、それを保持するように設計されている。
【００２４】
図２に、画面１の背面図を示し、装置１０を電源に及び／またはオーディオ／ビデオの入力部／出力部に接続するように設計されているコネクタを特に備えるディスプレイ装置１０と関連の、背面部分１０３及び１０４を特に示す。
【００２５】
図３及び４に、背面及び正面のそれぞれ４分の３ビューによるディスプレイ装置１を示し、スタンド１１のベース１１１を重視する。
【００２６】
床に置かれているベース１１１の幅は、例えば、対角線２６インチ（６６．０４ｃｍ）を有する画面１０１の場合は、１７０ｍｍに等しい。より概括的には、ベース１１１において、壁部１１０それぞれの前側及び後ろ側に配置されているそれぞれの部分は、好ましくは４ｃｍに比べてより大きく、さらにより好ましくは６ｃｍに比べてより大きな奥行きを有する。したがって、ディスプレイ装置１０の安定性は、それが著しく水平な平面に設置された場合に、確保される。
【００２７】
図１０及び１１に、それぞれ、水平な及び水平面に対して角度γ傾斜された平面１０００に置かれている、側面から見たディスプレイシステム１を示す。
【００２８】
好ましくは、装置１は、ディスプレイ装置１が、著しく水平な平面に置かれており、装置１から前方にまたは後方に、１１°未満または１１°に等しい（γが１１°未満または１１°に等しい）傾斜角を有する場合に、安定した状態を保つ。
【００２９】
換言すると、壁部１１０の前側及び後ろ側に配置されて床に置かれる、ベース１１１のそれぞれの部分の奥行きｄ及びｄ’は、装置１が著しく水平な平面に置かれてその前方または後方に１１°未満または１１°に等しい傾斜角を有する場合に、装置１の重心Ｇ、１００１が好ましくは、ベース１１１の前縁及び後縁に対応している脚部Ａ及びＢをそれぞれが通る２つの垂直平面１００２及び１００３の間にあるようになっている。概して、水平面に対して床の傾斜角が極大（または好ましくは１１°）である場合に、重心Ｇを通り、垂直平面にそれぞれ対応する平面１００５及び１００６は、奥行きｄ及びｄ’の極小値ｄｍ及びｄ’ｍを規定する（床に置かれているベース１１１のそれらの部分は、平面１００５及び１００６を越えて拡張する必要がある）。
【００３０】
図５は、取外し可能な画面１０がスタンド１１から分離された場合のディスプレイシステム１を示す。
【００３１】
壁部１１０は、
ラウドスピーカまたは複数のラウドスピーカ１０２が挿入されることを可能にする前側上のくり抜き部１１２、
背面部分１０３及び１０４がそれぞれ挿入されることを可能にする背面のくり抜き部１１３及び１１４、並びに
画面１０が所定の場所に保持されることを可能にする側面及び前側支持体１１６及び１１７、及び、背面支持体１１５を含む。
【００３２】
くり抜き部１１２から１１４は、それらが保持する装置１０の部分に適した形状を有する。壁部は、システムが著しく水平な平面に設置された場合には、スタンドの中空部分内で著しく垂直であり、ディスプレイ装置は、壁部の内部に適合する。好ましくは、それらは、この形状に沿って正確に作られる（くり抜き部それぞれの寸法は、それらが保持する要素の寸法に著しく等しい）。好ましくは、くり抜き部と、それらが保持する対応する要素とは、これらの要素が容易に挿入可能であるような方法で形作られる（例えば、くり抜き部それぞれのまたは対応する要素それぞれの垂直側面及び／または幅は、下方に細くなっている）。好ましくは、壁部１１０の外側面とディスプレイ装置１０の外側面は連続し、言い換えればディスプレイ装置１０のケーシングは嵌合部（renfoncements）１０５及び１０６を含み、その奥行きが壁部１１０の厚さに比べて好ましくはより大きいかまたは等しく（さらにより好ましくは、等しく）、その結果、壁部１１０が装置１０のケーシングの外側面と同一平面となる。したがって、壁部１１０の外側面と装置１０の外側面とは、連続しており、接しており（tangents）、その結果、ケーシングと壁部１１０との間に不均一性がなく、それにより、それほど煩わしくない、より魅力的なシステムが特に可能になる。
【００３３】
スタンドは、好ましくはプラスチック製であり、例えば、ワンピースのプラスチック射出によって得られる。したがって、支持体は、相対的に安価且つ容易に製造ができる。加えて、本発明は、色及び仕上がりの多様性により、カスタマイズできる可能性を有する。
【００３４】
本発明の１つの変形によれば、ディスプレイ装置は嵌合部１０５及び１０６を含まず、スタンドは、スタンド内にスペースを必要とするディスプレイ装置の部分（ラウドスピーカ、入力部／出力部、ディスプレイ部、遠隔制御センサ、電源）に必要なくり抜き部を単に含むだけである。この場合、好ましくはスタンドの壁部は薄く（典型的には、３ｍｍ未満または３ｍｍに等しく）、ディスプレイ装置が水平面に置かれている場合に、スタンドとディスプレイ装置との間の不均一性を制限する。
【００３５】
本発明の１つの変形実施形態によれば、ベース１１１はバラストされており（例えば、充填金属部分を含んでおり）、それにより、システム１の安定性が向上し、スタンド１１の煩わしさが軽減される。
【００３６】
本発明の他の変形実施形態によれば、スタンドは、安定性を向上させるための、スタンドにディスプレイ装置を取り付けるための追加手段を含む。したがって、この変形によれば、垂直な壁部には、例えば、装置１０内にねじ込まれるように設計されているネジが取り付けられ（装置は、雌ネジ部分を含む）、または装置１０の上に挟むことが可能である留め具が取り付けられる（したがって、装置は、留め具のノッチが適合する嵌合部を含む）。好ましくは、この追加の取付け手段はスタンドの背面に配置される。
【００３７】
概して、プラスチックパーツの数は限定され（例えば、１に等しく）、スタンドとディスプレイ装置との間の取付け部は限定され（例えば、１、２または３に等しく）、好ましくは０である。
【００３８】
図６及び７に、本発明の変形実施形態により、ディスプレイシステム６の正面図及び上面図を概略的に示す。
【００３９】
ディスプレイシステム６の前側は、フラット画面６００とケーシング６０７と２つのラウドスピーカ６０１及び６０２とを含むディスプレイ装置６０、並びに、ディスプレイ装置６０を収容するように設計されている中空スタンド６１を含む。
【００４０】
フラット画面６０は、例えば、ＬＣＤ画面またはプラズマタイプの画面である。
【００４１】
ラウドスピーカ６０１及び６０２は、画面の下方で左右両側に位置決めされる。
【００４２】
それが著しく水平な平面に置かれている場合に、ディスプレイ装置６０はスタンド６１内に挿入され、スタンド６１は、ディスプレイ装置を著しく垂直な位置に、及びより概括的には、画面の向かい側にいる視聴者によく見えることを可能にする快適な位置に維持する。
【００４３】
スタンド６１は、著しく水平な床に置かれるように設計されている著しく水平なベース６１０と、ディスプレイ装置を、それがスタンド内に挿入された場合に保持するように設計されている著しく垂直な壁部６１１とを含む。
【００４４】
壁部６１１は、ラウドスピーカ６０１及び６０２が挿入されることを可能にする前側上の２つのくり抜き部６１４及び６１５、ディスプレイ装置の後ろ側部分（電源、入力部／出力部）が挿入されることを可能にする背面のくり抜き部、並びに、画面６０が所定の場所に保持されることを可能する側面と前側との支持体６１１及び６１３、及び、背面支持体６１７を含む。
【００４５】
くり抜き部６１４から６１５は、それが保持する装置６０のために特に形作られている。好ましくは、それらは、この形状に沿って正確に作られる（くり抜き部それぞれの寸法は、それらが保持する要素の寸法に著しく等しい）。好ましくは、くり抜き部と、それらが保持する対応する要素とは、これらの要素が容易に挿入可能であるような方法で形作られている（例えば、くり抜き部それぞれの、または対応する要素それぞれの垂直側面及び／または幅は、下方に細くなっている）。好ましくは、壁部６１１の外側面とディスプレイ装置６０の外側面とは連続しており、有利には接しており、言い換えれば、ディスプレイ装置６０のケーシングは、嵌合部６０５から６０７を含み、その奥行きが壁部６１１の厚さに比べて好ましくはより大きいかまたは等しく（さらにより好ましくは等しく）、その結果、壁部６１１が装置６０のケーシングの外側面と同一平面となる。したがって、ケーシングと壁部６１１との間に不均一性はない。
【００４６】
スタンドは、好ましくはプラスチック製であり、例えば、ワンピースのプラスチック射出によって得られる。
【００４７】
床に置かれているベース６１０の奥行きｄ１は、例えば、２６インチ（６６．０４ｃｍ）の画面１０の場合は１７０ｍｍに等しい。より概括的には、壁部６１１それぞれの前側及び後ろ側にそれぞれ配置されているベース６１０の部分は、好ましくは４ｃｍに比べてより大きな、さらにより好ましくは６ｃｍに比べてより大きな奥行きｄ５及びｄ’５を有する。したがって、ディスプレイ装置６０の安定性は、それが著しく水平な平面に設置された場合に、確保される。好ましくは、ディスプレイシステム６は、前方または後方に１１°だけ傾斜された平面に置かれている場合に、安定した状態を保つ必要がある。言い換えれば、奥行きｄ５及びｄ５’は、装置が著しく水平な平面に置かれて装置１の前方または後方に１１°未満または１１°に等しい傾斜角を有する場合に、システム６の重心Ｇ、１００１が好ましくは、ベース６１０の前側縁部及び後ろ側縁部に対応している脚部をそれぞれ通る２つの垂直平面の間にあるようになっている。
【００４８】
ベース６１０内の中空エリア６１６は、嵌合部６０５から６０７の高さｄ３に比べてより大きいかまたは等しい深さを有する。高さｄ３は、例えば、５０ｍｍに等しく、より概括的には、画面の対角線が２０インチ（５０．８ｃｍ）から３７インチ（９３．９８ｃｍ）の間であるテレビセットのために設けられるディスプレイシステム６の場合には、３０ｍｍと６０ｍｍの間である。
【００４９】
図８及び９に、本発明の変形実施形態により、ディスプレイシステム８の正面図及び上面図を概略的に示す。
【００５０】
ディスプレイシステム８の前側は、フラット画面８００とケーシング８０７と２つの側面ラウドスピーカ８０２及び８０３とを備えたディスプレイ装置８０、並びに、ディスプレイ装置８０を収容するように設計されている中空スタンド８１を含む。
【００５１】
フラット画面８０は、例えば、ＬＣＤ画面またはプラズマタイプの画面である。
【００５２】
ディスプレイシステム８が著しく水平な平面に置かれている場合に、ディスプレイ装置８０はスタンド８１内に挿入され、ディスプレイ装置を著しく垂直な位置に、及びより概括的には、画面の向かい側にいる視聴者によく見えることを可能にする快適な位置に維持する。
【００５３】
スタンド８１はベース８１０を含み、その著しく平らな下面は、著しく水平な床に置かれるように設計されており、その著しく垂直な壁部８１１は、ディスプレイ装置を、それがスタンド内に挿入された場合に保持するように設計されている。
【００５４】
壁部８１１は、ディスプレイ装置の後ろ側部分（電源、入力部／出力部）が挿入されることを可能にする背面のくり抜き部、及び、側面と前側との支持体８１３を含む。
【００５５】
好ましくは、壁部８１１の外側面とディスプレイ装置８０の外側面は連続し及び接しており、言い換えれば、ディスプレイ装置８０のケーシングは嵌合部８０１を含み、その奥行きが壁部８１１の厚さに比べて好ましくはより大きいかまたは等しく（さらにより好ましくは等しく）、その結果、壁部８１１が装置８０のケーシングの外側面と同一平面となる。したがって、ケーシングと壁部８１１との間に不均一性はない。
【００５６】
スタンドは、好ましくはプラスチック製であり、例えば、ワンピースのプラスチック射出によって得られる。
【００５７】
床に置かれているベース８１０の幅ｄ１は、例えば、２６インチ（６６．０４ｃｍ）の画面８０の場合は１７０ｍｍに等しい。より概括的には、壁部８１１それぞれの前側及び後ろ側にそれぞれ配置されているベース８１０の部分は、好ましくは４ｃｍに比べてより大きく、さらにより好ましくは６ｃｍに比べてより大きな奥行きｄ５を有する。したがって、ディスプレイ装置８０の安定性は、それが著しく水平な平面に設置された場合に確保される。
【００５８】
ベース８１０内の中空エリア８１３は、嵌合部８０１の高さｄ３に比べてより大きいかまたは等しい深さｄ４を有する。
【００５９】
図１２及び１３に、本発明の変形実施形態により、ディスプレイシステム１２の正面図及び上面図を概略的に示す。
【００６０】
ディスプレイシステム１２は、図８に示す装置に類似で且つ同じ参照符号を有するディスプレイ装置８０、並びに、ディスプレイ装置８０を収容するように設計されている中空スタンド１２０１を含む。
【００６１】
スタンド１２０１は、著しく水平な床に置かれるように設計されているベース１２０３と、内壁部が著しく垂直であり、深さｄ４が嵌合部８０１の高さｄ３に比べてより大きいかまたは等しい中空エリア１２０１とを含む。中空エリア１２０１は、ディスプレイ装置８０を、その装置がスタンド内に挿入された場合に保持するように設計されている。スタンド１２０１の側面は斜めになっており、それにより、その剛性を著しく高めることが可能になる。これによりまた、重量を増大させることも可能になり、全体の重心を低くすることによって装置の安定性が向上する。
【００６２】
ディスプレイ装置１２は、スタンド１２０１の上側部分の厚さに比べて、好ましくはより大きいかまたは等しい（さらにより好ましくは等しい）奥行きの嵌合部８０１を含み、スタンド１２０１の外側面がディスプレイ装置８０と同一平面となる。したがって、スタンド１２０１と装置８０とは連続しており、２つの要素間に不均一性はない。
【００６３】
１つの変形によれば、スタンドは上側部分が著しく垂直であり、徐々にまたは段階的にフレア状に広がる外側面を有する。したがって、スタンドと装置とは連続しており、接している。
【００６４】
図１４に、本発明の好ましい実施形態により、ディスプレイ装置１４の側面図を概略的に示す。
【００６５】
ディスプレイシステム１２は、図１に示す装置に類似で且つ同じ参照符号を有するディスプレイ装置１０、並びに、ディスプレイ装置１０を収容するように設計されている中空スタンド１４００を含む。
【００６６】
スタンド１４００は、著しく水平な床に置かれるように設計されているベース１４０２と、内壁部が好ましくは３°未満または３°に等しい角度で、典型的には１．５°と３°の間で僅かに後方に傾斜される中空エリア１４０１とを含む。中空エリア１４０１の深さは、装置１０の嵌合部の高さに比べてより大きいかまたは等しい。中空エリア１４０１は、この装置がスタンド内に挿入された場合に、視聴者にとって見ることを楽にするために、及び／または装置１０の前側に配置されているベースの奥行きを縮小するために、僅かに後方に傾斜される位置にディスプレイ装置１０を保持するように設計されている。ディスプレイ装置１０は、嵌合部１０５及び１０６を含み、その奥行きがスタンドの上側部分の厚さに比べて好ましくはより大きいかまたは等しく（さらにより好ましくは等しく）、その結果、壁部１１０はスタンド１４００の外側面と同一平面となる。したがって、スタンド１４００と装置１０は連続しており、接しており、２つの要素間に不均一性はない。
【００６７】
図１５から１７に、本発明の変形実施形態によるスタンドの側面図に従って、正面図、側面図、及びＡＡ断面図を概略的に示す。
【００６８】
図１５から１７によるディスプレイシステムは、図１に示す（図１５から１７には示していない）装置に類似のディスプレイ装置１０、並びに、ディスプレイ装置１０を収容するように設計されている中空スタンド１５を含む。
【００６９】
ディスプレイ装置１０は、（その前側平面が垂直線と１１°未満または１１°に等しい角度を成す画面により）著しく垂直な位置に、より概括的には、画面の向かい側にいる視聴者によく見えることを可能にする快適な位置に、ディスプレイ装置を維持するスタンド１５内に挿入される。
【００７０】
スタンドは壁取付け部に連結され、壁取付け部は、ベース１５０６、壁部１１０、及び壁取付け部１５０１を含む。ベース１５０６は、著しく垂直な（それは、垂直平面と１１°未満または１１°に等しい角度を成すことを意味する）壁部に取り付けられるように設計されている著しく平らな側面を含む。変形実施形態によれば、壁部は、高い位置決めを可能にするために前方に傾斜可能であり、画面自体が前方に傾斜される。別の変形によれば、壁部は、床近くの位置決めを可能にするためにわずかに後方に傾斜され、画面自体が後方に傾斜される。
【００７１】
壁取付け部は、壁部にそれを取り付けるための手段（例えば、ネジ１５０２から１５０５が通ることを可能にする穴部）を含み、壁取付け部は、壁部にねじ込まれ、壁部とネジ山との間（ネジの本体を収容するには十分であるが、ネジ山を収容するには十分でない大きさの上側部分上のスロットにより、ネジ山が通り抜けることを可能にする穴部）で摺動する。壁部１５００の内面と外面は著しく垂直であり、壁部１５００は中空の空間を形成し、ディスプレイ装置１０を、この装置がスタンド内に挿入された場合に保持するように設計されている。壁部の厚さは、好ましくは３ｍｍ未満または３ｍｍに等しい。壁取付け部の厚さは、好ましくは３ｍｍと７ｍｍの間である。ベースは、好ましくは、しかし必ずしもではないが、中空である。
【００７２】
したがって、ディスプレイ装置は、ユーザが容易に壁に画面を吊り（壁取付け部を含むスタンドによる実施形態）、及び／または著しく水平な平面にそれを設置すること（床に置くように設計されているスタンドの実施形態により）が可能であるように、使用の相対的柔軟性を可能にする。加えて、ディスプレイ装置は、スタンドと共にまたはスタンドなしで（このスタンドは、所定の場所に置いておくこと、または逆に、移動することが可能である）、容易に移動可能である。
【００７３】
もちろん、本発明は、前述の実施形態に限定されない。
【００７４】
具体的には、当業者は、プラスチック以外の任意の物（例えば、金属）で作られるスタンドを創出することが可能であろう。
【００７５】
さらには、本発明は、ＬＣＤタイプの画面を備えたディスプレイ装置を取り付けることに限定されるのではなく、特に、１００ｍｍ未満または１００ｍｍに等しい全体的な奥行きを有するすべてのフラット画面装置に関し、対応するスタンド内に挿入される部分の奥行きは、好ましくは５０ｍｍ未満または５０ｍｍに等しい。具体的には、本発明は、相対的に小さな（例えば、１２ｍｍに、または８ｍｍにさえ等しい）奥行きを有するフラット画面、モニタタイプのビューシステムに関する。したがって、１５インチ（３８．１ｃｍ）の画面の場合に、垂直な壁部の前側及び後ろ側で対応するスタンドの奥行きは、例えば、４０ｍｍと４５ｍｍの間である。これは、具体的には、移動が容易になる（煩わしさが軽減される）ように、ラップトップコンピュータのために設けられるビューシステムに有利である。
【００７６】
本発明はまた、スタンドが、そのベースに垂直な平面に対して、好ましくは３°未満または３°に等しい角度（例えば、１．５°と３°の間）で、後方に傾斜される壁部を持つディスプレイシステムにも関する。この種の実施形態によれば、壁部の前側のベースの奥行きは縮小されて（実際には、この場合、システムの重心が後方に移動する）、著しく水平な床に置かれており、水平な平面に対して好ましくはより小さいかまたは等しい角度により傾斜されるシステムの安定性の条件を満たすことが可能である。
【００７７】
本発明は、連続しており、接しているディスプレイ装置と関連のスタンドとを備えるシステムに関する。それはまた、そのディスプレイ装置と関連のスタンドとが接しておらず（図１２に示すように）、または連続すらしていないシステムにも関する。実際には、本発明はまた、下側部分に嵌合部を含まないディスプレイ装置を備えたシステムにも関する。この変形によれば、ディスプレイ装置は特異的ではなく、スタンドはこの種の装置を保持するために適している。
【図面の簡単な説明】
【００７８】
【図１】本発明の好ましい実施形態により、平面に設置されたディスプレイシステムの正面図である。
【図２】図１におけるシステムの背面図である。
【図３】傾斜角からの図１におけるシステムのそれぞれ背面図または正面図である。
【図４】傾斜角からの図１におけるシステムのそれぞれ背面図または正面図である。
【図５】画面が壁に掛けられている、図１におけるディスプレイシステムの正面図である。
【図６】特定の実施形態による本発明の変形図である。
【図７】特定の実施形態による本発明の変形図である。
【図８】特定の実施形態による本発明の変形図である。
【図９】特定の実施形態による本発明の変形図である。
【図１０】図１におけるディスプレイシステムの側面図である。
【図１１】図１におけるディスプレイシステムの側面図である。
【図１２】特定の実施形態による本発明の変形図である。
【図１３】特定の実施形態による本発明の変形図である。
【図１４】特定の実施形態による本発明の変形図である。
【図１５】特定の実施形態による本発明の変形図である。
【図１６】特定の実施形態による本発明の変形図である。
【図１７】特定の実施形態による本発明の変形図である。
【図１】
2009500666.tif 000003
【図２】
2009500666.tif 000004
【図３】
2009500666.tif 000005
【図４】
2009500666.tif 000006
【図５】
2009500666.tif 000007
【図６】
2009500666.tif 000008
【図７】
2009500666.tif 000009
【図８】
2009500666.tif 000010
【図９】
2009500666.tif 000011
【図１０】
2009500666.tif 000012
【図１１】
2009500666.tif 000013
【図１２】
2009500666.tif 000014
【図１３】
2009500666.tif 000015
【図１４】
2009500666.tif 000016
【図１５】
2009500666.tif 000017
【図１６】
2009500666.tif 000018
【図１７】
2009500666.tif 000019